(57)【要約】【課題】代表親番号による着信の際に、一つのＢチャネルが通話中の場合、障害状態を起こすことなく、残りのチャネルに着信させて応答することを可能とする。【解決手段】ＩＳＤＮ回線に代表選択着信の場合、回線１，２それぞれでＢチャネル１が使用中の間にはチャネル制御回路２２Ａが残りのＢチャネルを使用中としてその回線の網決定ユーザビジーをＩＳＤＮへ通知できるが、チャネル制御回路２２Ａは、残りのＢチャネル２に着信の際には着信回路２３から鳴動等によりユーザを呼び出し、ユーザのチャネル切替え手動スイッチ２４Ａの操作を受けた際に、Ｂ２チャネルでその鳴動呼出しに応答すると共に、通話中のＢ１チャネルを保留状態にする。次のユーザのチャネル切替え手動スイッチ２４Ａの操作は、Ｂ１、Ｂ２チャネルの通話と保留とを交互に繰り返す。【選択図】図２
2008211505.tif 000002
【特許請求の範囲】
【請求項１】
複数のユーザ・網インタフェース群によるＩＳＤＮ回線を外線として接続するボタン電話システムで、一方にＵ点を引き込みＩＳＤＮ回線とインタフェースするＩＳＤＮ電話回路、他方に前記ボタン電話システムの内線を接続する主装置電話回路、それぞれを有して一つの送受話器に接続する複合電話端末をＩＳＤＮ加入者線ごとに備え、商用電源の供給停止で前記ボタン電話システムの主装置が稼動停止の間、前記外線のＩＳＤＮ加入者線を切替えして前記ＩＳＤＮ電話回路に接続するボタン電話システムの停電対応方法において、商用電源の供給停止の間に前記複合電話端末で代表親番号着信があった際、ＩＳＤＮ電話回路で前記インタフェース群の一つのＢチャネルが使用中の場合には残りのチャネルをも使用中とすることを特徴とするボタン電話システムの停電対応方法。
【請求項２】
複数のユーザ・網のインタフェース群によるＩＳＤＮ回線を外線として接続するボタン電話システムで、一方にＵ点を引き込みＩＳＤＮ回線とインタフェースするＩＳＤＮ電話回路、他方に前記ボタン電話システムの内線を接続する主装置電話回路、それぞれを有して一つの送受話器に接続する複合電話端末をＩＳＤＮ加入者線ごとに備え、商用電源供給停止で前記ボタン電話システムの主装置が稼動停止の間、前記外線のＩＳＤＮ加入者線を切替えして前記ＩＳＤＮ電話回路に接続するボタン電話システムの停電対応方法において、商用電源の供給停止の間に前記複合電話端末で着信があった際、前記ＩＳＤＮ電話回路で前記インタフェース群の一つのＢチャネルが使用中で他に空きのＢチャネルがある場合にはその着信をＤチャネルで検出して呼出信号によりユーザに通知し、ユーザによる切替え操作で通話中の通信を保留して新規着呼に応答することを特徴とするボタン電話システムの停電対応方法。
【請求項３】
請求項２に記載のボタン電話システムの停電対応方法において、前記インタフェース群が基本インタフェースであり、前記ユーザの操作により、二つのＢチャネルの通信および保留を交互に切り替えることを特徴とするボタン電話システムの停電対応方法。
【請求項４】
複数のユーザ・網インタフェース群によるＩＳＤＮ回線を外線として接続するボタン電話システムで、一方にＵ点を引き込みＩＳＤＮ回線とインタフェースするＩＳＤＮ電話回路、他方に前記ボタン電話システムの内線を接続する主装置電話回路、それぞれを有して一つの送受話器に接続する複合電話端末をＩＳＤＮ加入者線ごとに備え、商用電源の供給停止で前記ボタン電話システムの主装置が稼動停止の間、前記外線のＩＳＤＮ加入者線を切替えして前記ＩＳＤＮ電話回路に接続するボタン電話システムの停電対応方法において、前記複合電話端末で、自インタフェース群に対する次の順序の着アドレスを接続先アドレスとして予め記憶し、商用電源の供給停止の間に、前記インタフェース群で一つのＢチャネルが使用中に他の空きＢチャネルに代表親番号による着信があった際には、着信をＤチャネルで検出して、あらかじめ記憶された自インタフェース群の前記接続先アドレスを読み取ってＩＳＤＮ側に発信することを特徴とするボタン電話システムの停電対応方法。
【請求項５】
複数のユーザ・網インタフェース群でＩＳＤＮ回線を外線として接続する一方で、商用電源の供給停止で主装置が稼動停止の場合、前記外線のＩＳＤＮ加入者線を切替え接続するボタン電話システムに、一方に商用電源が供給停止の際にＵ点を引き込みＩＳＤＮ回線とインタフェースするＩＳＤＮ電話回路、他方に前記ボタン電話システムの内線を接続する主装置電話回路、それぞれを有して一つの送受話回路に接続する複合電話端末としてＩＳＤＮ加入者線ごとに対応して備えられる停電対応電話端末において、
前記ＩＳＤＮ電話回路から着呼の通知を受けた際には当該ＩＳＤＮ電話回路に他の対応するＢチャネルの使用中を指示するチャネル制御回路を備え、
前記ＩＳＤＮ電話回路が、商用電源が供給停止の間で前記インタフェース群の一つのＢチャネルが使用中に代表親番号による着呼があった際には着呼をＤチャネルで検出して通知する一方、他のＢチャネルの使用中指示を受けた際にはＩＳＤＮ側に対応Ｂチャネルの全使用中を通知する手段を有する
ことを特徴とするボタン電話システムの停電対応電話端末。
【請求項６】
複数のユーザ・網インタフェース群でＩＳＤＮ回線を外線として接続する一方で、商用電源の供給停止で主装置が稼動停止の場合、前記外線のＩＳＤＮ加入者線を切替え接続するボタン電話システムに、一方に商用電源が供給停止の際にＵ点を引き込みＩＳＤＮ回線とインタフェースするＩＳＤＮ電話回路、他方に前記ボタン電話システムの内線を接続する主装置電話回路、それぞれを有して一つの送受話回路に接続する複合電話端末としてＩＳＤＮ加入者線ごとに対応して備えられる停電対応電話端末において、
前記ＩＳＤＮ電話回路から着呼の通知を受けた際に呼出信号の送出を指示する一方、チャネル切替えの通知を受けた際には前記ＩＳＤＮ電話回路に送受話回路の接続を使用中のＢチャネルから他方のＢチャネルへ切替えするよう指示するチャネル制御回路と、かつ、
ユーザにより操作されて、Ｂチャネルの切替えを前記チャネル制御回路に通知するチャネル切替え手動スイッチと、を備え、
前記ＩＳＤＮ電話回路が、商用電源が供給停止でその一つのＢチャネルが使用中に着呼があった際には、これをＤチャネルで検出して通知する一方、そのＢチャネルが使用中にチャネル切替えの指示を受けた際にはそのＢチャネルを保留として、他のＢチャネルに送受話回路を切替え接続して応答する手段を有する
ことを特徴とするボタン電話システムの停電対応電話端末。
【請求項７】
請求項６に記載のボタン電話システムの停電対応電話端末において、前記インタフェース群が基本インタフェースであり、前記チャネル制御回路が、チャネル切替え手動スイッチから受けるユーザの操作により、二つのＢチャネルの通信および保留を交互に切り替えることを特徴とするボタン電話システムの停電対応電話端末。
【請求項８】
複数のユーザ・網インタフェース群でＩＳＤＮ回線を外線として接続する一方で、商用電源の供給停止で主装置が稼動停止の場合、前記外線のＩＳＤＮ加入者線を切替え接続するボタン電話システムに、一方に商用電源が供給停止の際にＵ点を引き込みＩＳＤＮ回線とインタフェースするＩＳＤＮ電話回路、他方に前記ボタン電話システムの内線を接続する主装置電話回路、それぞれを有して一つの送受話回路に接続する複合電話端末としてＩＳＤＮ加入者線ごとに対応して備えられる停電対応電話端末において、
前記インタフェース群に対する次の順序の自インタフェース群の着アドレスを接続先アドレスとして予め記憶する接続先アドレス記憶回路と、かつ、
当該ＩＳＤＮ電話回路から着信通知を受けた際に、その選択先としてあらかじめ記憶された自インタフェース群の前記接続先アドレスを読み取って前記ＩＳＤＮ電話回路に発信を通知するチャネル制御回路と、を備え、
前記ＩＳＤＮ電話回路が、商用電源の供給停止の間に一つのインタフェース群で一つのＢチャネルが使用中に他の空きＢチャネルに代表親番号による着信があった際には着信をＤチャネルで検出して前記チャネル制御回路に通知する一方、前記接続先アドレスの通知を受けた際には受けた接続先アドレスに基づきＩＳＤＮ側に発信処理する手段を有する
ことを特徴とするボタン電話システムの停電対応電話端末。
【発明の詳細な説明】
【技術分野】
【０００１】
本発明は、ＩＳＤＮ回線を収容するボタン電話システムで停電においても代表親番号着信に応答可能な方法およびその電話端末に関するものである。
【背景技術】
【０００２】
ＩＳＤＮ（統合サービスデジタル網）の加入者線に複数の通信端末を接続する場合、通常、加入者線を引き込むＵ点でそのインタフェース機能を有するＤＳＵ（デジタル・サービス・ユニット）が用いられ、契約者回線番号で着呼の場合には接続されたすべての通信端末を呼出すことができる。しかしながら、呼出された通信端末の一つが応答の際に他の通信端末に転送することができない場合がある。このような一斉呼出しに応答して転送可能なシステムにボタン電話システムがある。ボタン電話システムのように小規模の交換装置に対応するＩＳＤＮ回線のユーザ・網インタフェースとしては、Ｂ１チャネルおよびＢ２チャネルとＤチャネルとで形成される基本インタフェース構造が適切である。
【０００３】
従来のＩＳＤＮ回線を収容するボタン電話システムの停電対応電話端末としては、例えば、特開２０００−１３８２６号公報（特許文献１）に開示された停電機能付ボタン電話機、または、特開２００５−９４０４７号公報（特許文献２）に開示された停電対応ボタン電話システムがある。
【０００４】
この停電機能付ボタン電話機について、例えば、図５のＩＳＤＮ対応の複合電話端末１２０を参照して説明する。複合電話端末１２０は、ＩＳＤＮ電話回路１２１と主装置電話回路１２２とを有しており、切替スイッチ１２３で送受話器１２４に接続する。ＩＳＤＮ電話回路１２１は、ＤＳＵ１００と同様にＵ点インタフェースを有し、商用電源供給停止の際には、直接、ＩＳＤＮ加入者線を接続する。従って、複合電話端末１２０は、ＩＳＤＮ加入者線を直接接続するＩＳＤＮ電話回路１２１でＩＳＤＮから電源を受ける制限給電状態により動作する。
【０００５】
その詳細を、図６を参照して説明すれば、主装置電話回路１２２は、Ｕ点ＩＦ（インタフェース）１２を有する交換主装置１０を介してＩＳＤＮ加入者線と接続する。切替スイッチ１２３は、交換主装置１０を含む電話システムに商用電源を供給する場合に主装置電話回路１２２に送受話器１２４を接続するよう稼動する。主装置電話回路１２２および交換主装置１０は商用電源の供給を受けて多機能動作を実行する。
【０００６】
図示される交換主装置１０は、一方に二つのＩＳＤＮ加入者線を収容し、他方に複数の内線ＩＦ１４，１５をそれぞれ接続するＳＷ（スイッチング）回路１３を有する。図示されていないが、二つのＩＳＤＮ加入者線に対応して二つの複合電話端末１２０それぞれが設けられ、一つの内線ＩＦ１４が一つの複合電話端末１２０の主装置電話回路１２２に接続する。すなわち、通信回線の確保のため、複合電話端末１２０は原則として、ＩＳＤＮ加入者線の数だけ備えられる。内線ＩＦ１５は内線電話端末２００と接続する。
【０００７】
このようなボタン電話システムの停電対応方法およびその電話端末では、商用電源の供給停止があっても、交換主装置１０から切り離された複合電話端末１２０がＩＳＤＮ加入者線と直結して動作できるので、発着呼が可能であり実用上十分であった。すなわち、例えば一つの基本インタフェースにおける契約者回線番号で着信した場合、二つのＢ１，Ｂ２チャネルの外線を接続する交換主装置１０は、商用電源の停電で切替回路１１により一つの複合電話端末１２０に切替えを実行する。
【０００８】
一方、ＩＳＤＮ回線における代表番号着信では、例えば、図示されるように、ユーザ・網インタフェースの群構成で、Ｄチャネル対応に加入者番号として契約者回線番号が付与される。一つのインタフェース群（以後、ＩＦＧ１と呼称）の着番号となる契約者回線番号を代表親番号とした場合、まず、このＩＦＧ１に着信して一つのＢ１チャネルを使用するが、ＩＳＤＮ側ではＢ２チャネルが空きならば、次の着呼もＩＦＧ１に着信する。
【０００９】
しかし、商用電源の停電の場合、ボタン電話システムでは、代表親番号着信または発呼によりＢ１チャネルが使用中の場合、複合電話端末１２０が一つの電話回路しか持たないため、残りの一つのＢ２チャネルを空きであっても利用することができない。このため、ＩＳＤＮ側ではこのＢ２チャネルを障害と判断して網決定ユーザビジーを形成し、他のインタフェース群（以後、ＩＦＧ２と呼称）に着信させる。
【００１０】
すなわち、商用電源供給停止の場合に、ボタン電話システムでは、代表親番号着信または発呼によりＢ１チャネルが使用されている場合、複合電話端末１２０が一つのＩＳＤＮ対応の電話回路しか持たないため、障害状態を起こすこととなり、そのままでは別のＢチャネルに着信させることができない。
【００１１】
【特許文献１】特開２０００−１３８２６号公報（図１）
【特許文献２】特開２００５−９４０４７号公報（図１）
【発明の開示】
【発明が解決しようとする課題】
【００１２】
解決しようとする課題は、ボタン電話システムの外線に接続される複数のＩＳＤＮ回線がユーザ・網のインタフェース群それぞれで、通常、二つのＢ１，Ｂ２チャネルを利用できるにも拘わらず、商用電源供給停止の間の代表親番号による着信の際には、一つのＢチャネルが通話中では、障害状態を起こすことになり、そのままでは別のインタフェース群または残りの空きチャネルに着信させて応答することができないことである。
【課題を解決するための手段】
【００１３】
本発明は、ＩＳＤＮ回線を接続するボタン電話システムで、ユーザ・網の基本インタフェースおよび一次群速度インタフェースのうちの複数のインタフェース群（ＩＦＧ）で代表機能を契約した場合で、商用電源が供給停止の間に代表親番号で着信した際に、各インタフェース群で二つまでの空きチャネルで応答可能とすることを目的とする。上記基本インタフェースも二つのＢチャネルを有するので一つのインタフェース群とする。
【００１４】
本発明による停電対応システムは、複数のＩＦＧによるＩＳＤＮ回線を外線として接続し代表契約するボタン電話システムにあって、一方にＵ点を引き込みＩＳＤＮ回線とインタフェースするＩＳＤＮ電話回路、他方に前記ボタン電話システムの内線を接続する主装置電話回路、それぞれを有して一つの送受話器に接続する複合電話端末を、ＩＳＤＮ加入者線ごとに備え、商用電源の供給停止で代表機能を契約した前記ボタン電話システムの主装置が稼動停止の間、前記外線のＩＳＤＮ加入者線を切替え、更にＩＳＤＮ加入者線でのＢチャネルを切替えして前記ＩＳＤＮ電話回路に接続するものである。
【００１５】
上記目的を達成するための第１の方法は、前記複合電話端末で代表親番号着信があった場合、ＩＳＤＮ電話回路で前記基本インタフェースの一方のＢチャネルが使用中の間には他方のチャネルを使用中とすることを主要な特徴とする。また、第２の方法は、前記複合電話端末で代表親番号着信があった場合、前記ＩＳＤＮ電話回路で一つのインタフェース群の一つのＢチャネルが使用中で他に一つの空きＢチャネルがある間にはその着信をＤチャネルで検出して呼出信号によりユーザに通知し、ユーザによる切替え操作で通話中の通信を保留して新規着呼に応答することを特徴とする。更に、第３の方法は、前記複合電話端末で、各インタフェース群で自インタフェース群の次の順序の着アドレスを接続先アドレスとして予め記憶し、一つのインタフェース群で一方のＢチャネルが使用中の間に他方のＢチャネルに代表親番号による着信があった際には、着信をＤチャネルで検出して、あらかじめ記憶された自インタフェース群の前記接続先アドレスに基づきＩＳＤＮ側に発信して自インタフェース群をＢチャネルビジーにすることを特徴とする。
【００１６】
上述の第２の方法は、代表親番号によらない通常の着信に対しても、障害を回避して別の一つのＢチャネルを選択するために適用可能である。
【００１７】
本発明による複合電話端末は、上記ＩＳＤＮ電話回路に接続して上述した方法を実現するチャネル制御手段を有し、上記ＩＳＤＮ電話回路がこのチャネル制御手段と協同動作により上記方法を実現する手段を有している。
【発明の効果】
【００１８】
本発明によるボタン電話システムの停電対応方法およびその通信端末は、上述したように、少なくとも二つのＩＦＧで代表機能を契約した場合、ボタン電話システムの主装置が停電で機能停止した間、一つのＩＦＧのうちの一つのＢチャネルが使用中に、代表親番号による着信があった際に、上記第１の場合では次の順序のＩＦＧを選択でき、また、上記第２の場合には各ＩＦＧで残りの一つのＢチャネルが空きの際にはそのＢチャネルにも応答できるので、ＩＦＧが基本インタフェースの場合にはすべてのチャネルで応答可能である。更に、上記第３の場合では記憶したＩＦＧの例えば着サブアドレスに基づきＩＳＤＮ側に発信することにより別のＩＦＧを選択できる。従って、そこに空きのチャネルがあれば、このボタン電話システムで着信を受けてその空きチャネルで応答することができる。
【発明を実施するための最良の形態】
【００１９】
ボタン電話システムの外線に接続される複数のＩＳＤＮ回線がユーザ・網のインタフェース群を形成し、商用電源供給停止の間の代表親番号による着信の際には、一つのＢチャネルが通話中の場合、障害状態を起こすことなく、残りのチャネルに着信させて応答するという目的を達成する。
【００２０】
このため、代表契約したＩＦＧごとの代表親番号、代表子番号、及び着サブアドレスを駆使して、更に、ユーザによる手動スイッチを利用して、代表親番号での着信に対する応答先を設定することにより、一つのＢチャネルが使用中の代表親番号による着信に対して他の少なくとも一つの空きチャネルへの着呼を実現してその応答を可能にした。
【００２１】
以下に図面に示す実施態様を参照して本発明について説明する。ＩＳＤＮ回線は、ユーザ・網の基本インタフェースを一つのＩＦＧのＩＳＤＮ加入者線とし契約者回線番号が契約されているものとする。従って、代表機能の契約で、複数のＩＳＤＮ加入者線の内の一つの契約者回線番号が代表親番号となり他の契約者回線番号は代表子番号となる。代表親番号での着信は、ＩＳＤＮで順次サーチ方式による代表選択を契約しているものとする。このことは、例えば、ＩＦＧは一次群速度インタフェースでもよく、また代表選択はラウンドロビン方式でも適用可能であることを意味する。
【００２２】
実施態様を以下に説明するが、その機能ブロックの分離・併合などによる変更は、本発明の趣旨に基づく限り自由であり、以下の説明が本発明を限定するものではない。
【実施例１】
【００２３】
本発明の実施例１について図１を参照して説明する。
【００２４】
図１は、本発明によるボタン電話システムの実施の一形態をブロックで示す説明図である。
【００２５】
図示されるボタン電話システムは、一つの交換主装置１、二つの複合電話端末２、および複数の内線電話端末２００により構成される。内線電話端末２００は、現代の汎用多機能電話端末であり、通常、商用電源またはバッテリなどの電池を必要とする。
【００２６】
交換主装置１は、一方に二つの外線として基本インタフェースによるＩＳＤＮ加入者線を、また、他方に内線として二つの複合電話端末２および複数の内線電話端末２００を、それぞれ収容し接続する。交換主装置１は、切替回路１１、Ｕ点ＩＦ（インタフェース）１２、ＳＷ（スイッチング）回路１３、内線ＩＦ１４，１５、制御回路１６、および電源供給・監視回路１７を備え、商用電源の供給を受けて作動する。図面上では、交換主装置１が回線スイッチとして表されているが、実質的にはタイムスイッチである。
【００２７】
切替回路１１は、一方にＩＳＤＮ加入者線をまた他方にＵ点ＩＦ１２および複合電話端末２を、それぞれ接続し、ＩＳＤＮ加入者線に対して他方の接続先を選択するスイッチを有する。そのスイッチは、商用電源が供給される間はＵ点ＩＦ１２、また商用電源停止の間は、複合電話端末２をそれぞれ選択して接続する。商用電源の供給か停止かの判定は、制御回路１６を介して電源供給・監視回路１７から受けることができるが、例えば、スイッチに商用電源供給により常時動作する電磁リレーなどを用いてＵ点ＩＦ１２に接続し、電源供給断で復旧動作して複合電話端末２に接続することもできる。
【００２８】
Ｕ点ＩＦ１２は、ＤＳＵ（デジタル・サービス・ユニット）の機能を含み、そこで切替回路１１を介して回線１，２によるＩＳＤＮ加入者線を接続する。Ｕ点ＩＦ１２は、他方で、回線１，２のＢ１，Ｂ２チャネルそれぞれにより４つの電話回線を外線に形成してＳＷ回路１３に接続する。ＳＷ回路１３は、制御回路１６の制御を受けて、外線と内線、内線同士などの接続をするもので、回線スイッチでもタイムスイッチでもよい。内線ＩＦ１４、１５は同一の回路であり、いずれも汎用の内線電話端末２００を接続することができる。内線ＩＦ１４は、内線電話端末２００に代わり複合電話端末２０と接続していることを明示するために番号符合を変えてある。
【００２９】
制御回路１６はメモリおよびプロセッサにより交換主装置１をプログラム制御する。電源供給・監視回路１７は、商用電源を受けて交換主装置１内の他の構成要素に供給し機能を発揮させる。また、電源供給・監視回路１７は、商用電源の供給状況を監視して制御回路１６に通知する。図示されていないが、内蔵バッテリを有する場合、制御回路１６は、商用電源の供給状況に応じて内蔵バッテリへの供給電源の切替え、内蔵バッテリの充電などを行う。
【００３０】
複合電話端末２は、電話端末として必須の機能も図示を省略し、本発明に係るＩＳＤＮ電話回路２１、チャネル制御回路２２、切替スイッチ３０、送受話器３１、および主装置電話回路３２が示されている。ＩＳＤＮ電話回路２１およびチャネル制御回路２２は、商用電源供給停止の場合に制限給電状態として稼動する。主装置電話回路３２は多機能化のため所要電源を利用する多機能電話端末用電話回路である。ＩＳＤＮ電話回路２１と主装置電話回路３２とは切替スイッチ３０で何れか一方が送受話器３１に接続される。
【００３１】
ＩＳＤＮ電話回路２１は、従来と同様に、ＤＳＵと同様のＵ点インタフェースを有し、基本インタフェースにおけるＤチャネルにより制御信号を授受してＢ１チャネルおよびＢ２チャネルの使用を制御する。チャネル制御回路２２は、代表選択の場合には従来と相違して、Ｂ１チャネルおよびＢ２チャネルの一方が使用されている間、他方のＢチャネルが空きであってもそれを使用中とする擬似の網決定ユーザビジーをＩＳＤＮにＩＳＤＮ電話回路２１からＤチャネルを介して通知する。
【００３２】
従って、停電のため複合電話端末２がＩＳＤＮ回線に直接接続されている状態では、例えば、Ｂ１チャネルが着信または発呼により使用中の間、Ｂ２チャネルが空きであってもＤチャネルにより網決定ユーザビジーがＩＳＤＮに通知されるので、ＩＳＤＮでは、次の代表親番号による着信を他の空きの回線に着信させる。
【００３３】
このような構成により、停電の際の代表選択の場合、ＩＳＤＮでは、一つのＩＦＧを形成する回線で一つのＢチャネルが使用中では、他に空きのＢチャネルがあっても、その回線を使用中として代表構成される他の回線を選択することができる。従って、空きのＢチャネルがあるために代表選択したにも拘わらず接続不能のため障害が発生して再呼出しするような事態を回避して、利用可能な空きのＢチャネルを有する別の回線を有効に選択できると言う効果を有する。
【実施例２】
【００３４】
上記実施例では、一つのＩＦＧで一つのＢチャネルが使用された場合、他に空きのＢチャネルがあっても利用できないという問題点がある。本実施例はそのような問題を解決するものである。
【００３５】
本発明の実施例２について図２および図３を併せ参照して説明する。
【００３６】
図示される装置および端末の接続状況は上記図１と同一である。交換主装置１は上記実施例と同一なのでその説明は省略する。また、複合電話端末２Ａも上記実施例とほぼ同一だが、その詳細が図示されている。その相違は、複合電話端末２Ａにある。上記実施例とは、ＩＳＤＮ電話回路２１Ａ、チャネル制御回路２２Ａおよびチャネル切替え手動スイッチ２４Ａにおいて相違する。
【００３７】
図示される複合電話端末２Ａは、本発明に係るＩＳＤＮ回線と接続するＩＳＤＮ電話回路２１Ａ、チャネル制御回路２２Ａ、着信回路２３、チャネル切替え手動スイッチ２４Ａ、Ｕ点ＩＦ２５、および電源供給回路２６を備える。また、ＩＳＤＮ回線と交換主装置１とを切り替える切替スイッチ３０が備えられ、汎用多機能の内線電話端末２００と同等の送受話器３１、主装置電話回路３２、フックスイッチ３３、およびボタン入力部３４とが従来同様に備えられる。送受話器３１、主装置電話回路３２、フックスイッチ３３、およびボタン入力部３４については、内線電話端末２００と同等のため、その説明を省略する。上記実施例と相違する構成要素には番号符号に「Ａ」が付加されている。
【００３８】
次に、商用電源が供給停止の際のＩＳＤＮ電話回路２１Ａ、チャネル制御回路２２Ａ、着信回路２３、チャネル切替え手動スイッチ２４Ａ、Ｕ点ＩＦ２５、および電源供給回路２６について説明する。
【００３９】
ＩＳＤＮ電話回路２１Ａは、Ｕ点ＩＦ２５および電源供給回路２６を含み上記ＩＳＤＮ電話回路２１を構成し、基本インタフェースにおけるＤチャネルにより制御信号を授受してＢ１チャネルおよびＢ２チャネルの使用を制御する。すなわち、ＩＳＤＮ電話回路２１Ａは、Ｂ１チャネルまたはＢ２チャネルに着呼があった際にはそれを着信回路２３に通知し、その後、フックスイッチ３３からオフフックの通知を受けた際にはそのチャネルの応答をＩＳＤＮに通知する。また、ＩＳＤＮ電話回路２１Ａは、チャネル制御回路２２Ａの指示に従って、Ｂ１チャネルおよびＢ２チャネルの何れか一方を、切替スイッチ３０を介して送受話器３１と接続する。
【００４０】
チャネル制御回路２２Ａは、ＩＳＤＮ電話回路２１Ａから受けた着呼の通知を着信回路２３に転送する。着信回路２３はそれを受けて、鳴動音、ランプ点滅、振動などの聴覚・視覚・触覚などを用いたユーザの呼出しを行う。チャネル切替え手動スイッチ２４Ａは、ユーザの操作によりＢ１、Ｂ２チャネルの切替えをチャネル制御回路２２Ａに通知する。チャネル制御回路２２Ａは、チャネル切替え手動スイッチ２４Ａからの切替え通知を受けた際に、切替スイッチ３０に接続していたＵ点ＩＦ２５からのＢチャネルを保留状態にして、他のＢチャネルを切替スイッチ３０に接続する。Ｕ点ＩＦ２５はＵ点でのＩＳＤＮインタフェース機能を有する。電源供給回路２６は、停電でＩＳＤＮ加入者線が接続された際にＩＳＤＮから制限給電状態となる所定値内の電力供給を受けて、Ｕ点ＩＦ２５からＩＳＤＮ電話回路２１Ａを介して送受話器３１に通信用電力を供給する。
【００４１】
次に、図３のシーケンスチャートに図２を併せ参照して、商用電源が供給停止の際の代表親番号着信における複合電話端末２Ａの主要動作手順について説明する。ここでは、回線１に代表親番号による着信があって、選択順位が優先のＢ１チャネルがまず通話するものとする。
【００４２】
まず、ＩＳＤＮから代表親番号により回線１のＢ１チャネルに着信の通知（手順Ｓ１）があった場合、複合電話端末２ＡではＩＳＤＮ電話回路２１Ａがこれを検出し、チャネル制御回路２２Ａを介して着信回路２３に通知するので、着信回路２３が呼出信号による鳴動（手順Ｓ２）によりユーザに着信を通知する。
【００４３】
ユーザのオフフックによりフックスイッチ３３がその信号をＩＳＤＮ電話回路２１Ａに通知する。それにより、ＩＳＤＮ電話回路２１Ａは、Ｄチャネルを用いてＢ１チャネルの応答をＩＳＤＮに通知（手順Ｓ３）する一方、切替スイッチ３０を介してＢ１チャネルの通話路を送受話器３１に接続し、Ｂ１チャネルによるＩＳＤＮとの通話を可能にする。
【００４４】
その後、ＩＳＤＮからの代表親番号により回線１のＢ２チャネルに着信の通知（手順Ｓ４）があった場合、上記同様に複合電話端末２ＡではＩＳＤＮ電話回路２１Ａがこれを検出し、チャネル制御回路２２Ａを介して着信回路２３に通知するので、着信回路２３が呼出信号による鳴動（手順Ｓ５）によりユーザに着信を通知する。
【００４５】
このとき、複合電話端末２Ａが通話中なので、ユーザはこの着信に応答するため、Ｂ１チャネルの通話相手に保留する旨を口頭で通知（手順Ｓ６）する。
【００４６】
次に、ユーザはオフフックの代わりにチャネル切替え手動スイッチ２４Ａを操作する。このチャネル切替え手動スイッチ２４Ａの操作は、チャネル制御回路２２Ａにより、Ｂ２チャネルのオフフックとしてＩＳＤＮ電話回路２１Ａに通知される。ＩＳＤＮ電話回路２１Ａは、Ｂ２チャネルのオフフックを受けた際、Ｂ１チャネルを保留状態にする一方、Ｄチャネルを用いてＩＳＤＮにＢ２チャネルの応答（手順Ｓ７）を通知して切替スイッチ３０を介して送受話器３１に接続する通話路をＢ２チャネルに接続し、Ｂ２チャネルによるＩＳＤＮとの通話を可能にする。この結果、Ｂ１チャネルでＩＳＤＮに向けて保留音が送出され、その一方では、Ｂ２チャネルでＩＳＤＮとの通話路が形成される。
【００４７】
次に、ユーザがチャネル切替え手動スイッチ２４Ａを操作した場合、その切替えスイッチ操作がチャネル制御回路２２Ａを介してＩＳＤＮ電話回路２１Ａに通知され、Ｂ２チャネルを保留状態にする一方、Ｂ１チャネルの保留を解除して送受話器３１に接続しＩＳＤＮとの通話に応答（手順Ｓ８）する。この結果、Ｂ１チャネルでＩＳＤＮとの通話路が形成され、その一方では、Ｂ２チャネルでＩＳＤＮに向けて保留音が送出される。
【００４８】
以降は、ユーザがオンフックで終話し解放信号を送るか、ＩＳＤＮ側から切断信号を受けるまで、ユーザがチャネル切替え手動スイッチ２４Ａを操作する都度、その状態が交互に変換する。
【００４９】
この状態で、Ｂ２チャネルの発信者がオンフックして呼を切断した場合、その切断が通知（手順Ｓ９）されるので、ＩＳＤＮ電話回路２１Ａがこれを受けてＢ２チャネルを解放する。フックスイッチ３３からオンフックの通知を受けた際には、通話中のＢ１チャネルの解放（手順Ｓ１０）の要求であり、Ｂ１チャネルの通話路も解放される。フックスイッチ３３からオンフックの通知を受けた際には、保留中のＢチャネルがあった場合、そのＢチャネルも解放される。また、発呼者の切断はその時点でそのＢチャネルの解放が実行される。
【００５０】
このような構成を形成しているので、基本インタフェースによるＩＦＧそれぞれでは、代表親番号による着信をすべての空きのＢチャネルで応答することができる。ＩＦＧが一次群速度インタフェースの場合でも、各ＩＦＧで二つまでのＢチャネルに着信し応答することが可能である。
【実施例３】
【００５１】
本発明の実施例３について図４を参照して説明する。
【００５２】
図示される装置および端末の接続状況は上記図２と同一である。交換主装置１は上記実施例と同一なのでその説明は省略する。また、複合電話端末２Ｂも上記実施例とほぼ同一である。その相違は、複合電話端末２Ｂにある。上記実施例とは、ＩＳＤＮ電話回路２１Ｂ、チャネル制御回路２２Ｂおよび接続先アドレス記憶回路２７Ｂにおいて相違する。
【００５３】
図示される複合電話端末２Ｂは、本発明に係るＩＳＤＮ回線と接続するＩＳＤＮ電話回路２１Ｂ、チャネル制御回路２２Ｂ、着信回路２３、Ｕ点ＩＦ２５、電源供給回路２６、および接続先アドレス記憶回路２７Ｂを備える。また、ＩＳＤＮ回線と交換主装置１とを切替えする切替スイッチ３０が備えられ、汎用多機能の内線電話端末２００と同等の送受話器３１、主装置電話回路３２、フックスイッチ３３、およびボタン入力部３４とが、従来同様に備えられる。送受話器３１、主装置電話回路３２、フックスイッチ３３、およびボタン入力部３４については、内線電話端末２００と同等のため、その説明を省略する。上記実施例と相違する構成要素には番号符号に「Ｂ」が付加されている。
【００５４】
次に、商用電源が供給停止の際のＩＳＤＮ電話回路２１Ｂ、チャネル制御回路２２Ｂ、および接続先アドレス記憶回路２７Ｂについて説明する。これ以外の構成要素は、すでに同一番号符号により説明した。
【００５５】
ＩＳＤＮ電話回路２１Ｂは、Ｕ点ＩＦ２５および電源供給回路２６を含み上記ＩＳＤＮ電話回路２１を構成し、基本インタフェースにおけるＤチャネルにより制御信号を授受してＢ１チャネルおよびＢ２チャネルの使用を制御する。すなわち、ＩＳＤＮ電話回路２１Ｂは、Ｂ１チャネルおよびＢ２チャネルの何れか一方に最初の着信があった際にはそれを着信回路２３に通知し、その後、フックスイッチ３３からオフフックの通知を受けた際にはそのチャネルの応答をＩＳＤＮに通知する。
【００５６】
チャネル制御回路２２Ｂは、ＩＳＤＮ電話回路２１ＢからＢチャネルに最初に着呼の通知を受けた際には、着信回路２３に転送し、ユーザを呼び出す通常の着呼処理を行う。チャネル制御回路２２Ｂは、一つのＢチャネルが使用中の場合には、接続先アドレス記憶回路２７Ｂから記憶された接続先アドレスを読み出してＩＳＤＮへ発信動作をする。
【００５７】
接続先アドレス記憶回路２７Ｂは、接続先アドレスを予め登録する。この接続先アドレスは、例えば、自ＩＳＤＮ電話機のＢチャネル毎に割り振られた着サブアドレスである。接続先アドレスが自ＩＳＤＮ電話機のため、一つのＢチャネルで発信と着信とをさせることにより擬似的に一つのＢチャネルを使用中とすることができる。
【００５８】
このような構成を採用したので、接続先アドレス記憶回路に自ＩＳＤＮ電話機の着サブアドレスを登録することにより、ＩＦＧで一つのＢチャネルが使用中に、ＩＳＤＮ電話回路に代表親番号で着信した際には、もう一つのＢチャネルが使用中であることをＩＳＤＮへ通知することができる。これにより、次の代表番号着信では、代表選択順序に基づき、別のＩＳＤＮ電話機に着信させることができる。
【産業上の利用可能性】
【００５９】
外線に収容するＩＳＤＮ回線ごとに商用電源供給停止用電話端末を備えるボタン電話システムに代表選択着信の場合、各インタフェース群の一つが使用中の間にはＩＳＤＮへそのインタフェース群のＢチャネルビジーを通知（実施例１）するか、または、次の選択順序のインタフェース群の着サブアドレスを通知（実施例３）するかにより、空きのＢチャネル着信による障害発生を回避することが可能である。また、一つのＢチャネルが使用中でも、更に代表親番号による着信があった際には別の一つのＢチャネルにユーザの手動切替えで応答可能（実施例２）なので、商用電源供給停止でもインタフェース群ごとに二つまでのＢチャネルに着信かつ応答が可能である。
【００６０】
よって、本発明は、ボタン電話システムに限らず、構内交換システムのような回線接続機能を有する宅内制御装置に接続される複合電話端末に代表親番号による着信に有効に応答するという用途に適用可能である。
【図面の簡単な説明】
【００６１】
【図１】本発明によるボタン電話システムにおける停電対応電話端末の実施の一形態をブロックで示した説明図である。（実施例１）
【図２】本発明によるボタン電話システムにおける図１とは異なる停電対応電話端末の実施の一形態をブロックで示した説明図である。（実施例２）
【図３】図２における電話端末の主要動作手順の実施の一形態をシーケンスチャートで示した説明図である。（実施例２）
【図４】本発明によるボタン電話システムにおける上記実施例とは異なる停電対応電話端末の実施の一形態をブロックで示した説明図である。（実施例３）
【図５】従来のボタン電話システムにおける停電対応電話端末の一例をブロックで示した説明図である。
【図６】参照するボタン電話システムにおける停電対応電話端末の一例をブロックで示した説明図である。
【符号の説明】
【００６２】
１    交換主装置
２、２Ａ、２Ｂ    複合電話端末
１１    切替回路
１２    Ｕ点ＩＦ
１３    ＳＷ回路
１４、１５    内線ＩＦ
１６    制御回路
１７、３５    電源供給・監視回路
２１、２１Ａ、２１Ｂ    ＩＳＤＮ電話回路
２２、２２Ａ、２２Ｂ    チャネル制御回路
２３    着信回路
２４Ａ    チャネル切替え手動スイッチ
２５    電源供給回路
２６    Ｕ点ＩＦ
２７Ｂ    接続先アドレス記憶回路
３０    切替スイッチ
３１    送受話器
３２    主装置電話回路
３３    フックスイッチ
３４    ボタン入力部
【図１】
2008211505.tif 000003
【図２】
2008211505.tif 000004
【図３】
2008211505.tif 000005
【図４】
2008211505.tif 000006
【図５】
2008211505.tif 000007
【図６】
2008211505.tif 000008